(57)【要約】【課題】重量が大きいドアを自閉させるために自閉力の強いドアクローザ本体を取り付けた場合でも、ストップ装置のストップ力がドアクローザ本体の自閉力に負けず、ストップ装置を解除し難くし、ドアが安易に閉じてしまうことがないようにする。【解決手段】ドア３０を所定の解放位置に停止するためのストップ装置を備えたドアクローザ１において、ドア枠４０に固定されたブラケット４に一端を回動可能に軸支するとともに、他端をドアクローザ本体２の出力軸２ａに回転可能に軸支されたアーム３の先端に回転可能に軸支するストップリンク５の両端に、各々ストップ装置６、７を設ける。【選択図】図２
2010196255.tif 000002
【特許請求の範囲】
【請求項１】
ドアを所定の解放位置に停止するためのストップ装置を備えたドアクローザにおいて、ドア枠に固定されたブラケットに一端を回動可能に軸支するとともに、他端をドアクローザ本体の出力軸に回転可能に軸支されたアームの先端に回転可能に軸支するストップリンクの両端に、各々ストップ装置を設けたことを特徴とするドアクローザ。
【発明の詳細な説明】
【技術分野】
【０００１】
本発明は、スイング式ドアに自閉力を付与するドアクローザに関し、特に、ドアを所定の解放位置に停止するためのストップ装置を備えたドアクローザに関するものである。
【背景技術】
【０００２】
既に、スイング式ドアに自閉力を付与するドアクローザにおいて、ドアを所定の開放位置に停止するためのストップ装置を備えたドアクローザは公知である。
【０００３】
さらに、ドア枠に固定されたブラケットに一端を回動可能に軸支するとともに、他端をドアに固定されたドアクローザ本体の出力軸に回転可能に軸支されたアームの先端に回転可能に軸支するストップリンクのどちらか一方の端にストップ装置を備えたドアクローザも知られている。（下記特許文献１参照）
【０００４】
しかし、このドアクローザでは、ストップリンクのどちらか一方の端にのみストップ装置を備えているだけなので、重量が大きいドアを自閉させるために自閉力の強いドアクローザ本体を取り付けた場合、ストップ装置のストップ力がドアクローザ本体の自閉力に負け易くなり、人の操作に寄らず、小さい風圧等でも簡単にストップ装置が解除してしまい、ドアが安易に閉じてしまう。
【先行技術文献】
【特許文献】
【０００５】
【特許文献１】特開平１１−２９４００６号公報
【発明の概要】
【発明が解決しようとする課題】
【０００６】
解決しようとする問題点は、重量が大きいドアを自閉させるために自閉力の強いドアクローザ本体を取り付けた場合、ストップ装置のストップ力がドアクローザ本体の自閉力に負けストップ装置が解除されてしまい、ドアが安易に閉じてしまう点にある。
【課題を解決するための手段】
【０００７】
本発明は、ドアを所定の解放位置に停止するためのストップ装置を備えたドアクローザにおいて、ドア枠に固定されたブラケットに一端を回動可能に軸支するとともに、他端をドアクローザ本体の出力軸に回転可能に軸支されたアームの先端に回転可能に軸支するストップリンクの両端に、各々ストップ装置を設けたことを最も主要な特徴とする。
【発明の効果】
【０００８】
本発明のドアクローザは、重量が大きいドアを自閉させるために自閉力の強いドアクローザ本体を取り付けた場合でも、ドアを所定の解放位置に確実に停止させておくことができ、ドアが安易に閉じてしまうことがなくなるという利点がある。
【図面の簡単な説明】
【０００９】
【図１】図１は、本発明のドアクローザを取付けたドアを閉じた状態を示した一部断面平面図である。（実施例１）
【図２】図２は、図１の正面図である。（実施例１）
【図３】図３は、本発明のドアクローザでドアを所定の位置に停止させた状態を示した一部断面平面図である。（実施例１）
【発明を実施するための形態】
【００１０】
以下、この発明の実施形態について図面に基づいて説明する。
【実施例１】
【００１１】
図１は、本発明のドアクローザの１実施例の一部断面平面図である。図２は、図１の正面図である。１は外装式ストップ装置を備えたドアクローザ、３０は図示を省略したヒンジを介して開閉可能なスイング式スイング式のドア、４０はドア３０をヒンジ５０を介して取付けるドア枠である。
【００１２】
ドアクローザ１は、図示を省略したスプリング、ピストン、作動油等からなる自閉力発生手段、この自閉力を外部に出力するための出力軸２ａ等を収納したドアクローザ本体２、出力軸２ａに一端を軸支され所定角度回転するアーム３、ドア３０が取り付くドア枠４０の上枠にネジ６０で固定されたブラケット４、このブラケット４に固定された支持軸４ａに回転可能に係合し、他端を上記アーム３の他端に回転可能に係合するストップリンク５からなっている。なお、図２においては、ドアクローザ本体２、ならびにアーム３の一部は、図示を省略している。
【００１３】
ストップリンク５は、一端をブラケット４に固定された支持軸４ａに回転可能に係合する第１ストップリンク５ａと、一端をアーム３の他端に固定された支持軸３ａに回転可能に係合する第２ストップリンク５ｂ、およびこの第１ストップリンク５ａと第２ストップリンク５ｂの各他端に螺合し、第１ストップリンク５ａと第２ストップリンク５ｂとを連結する連結ネジ５ｃとからなっている。
【００１４】
このように、ストップリンク５を第１ストップリンク５ａと第２ストップリンク５ｂとを連結ネジ５ｃで連結し構成することで、このストップリング５の両端をアーム３とブラケット４に取付けるにあたり、アーム３とブラケット４との間の寸法に多少のバラツキがあってもストップリンク５の長さが連結ネジ５ｃにより調整可能なので、容易に取付可能である。
【００１５】
上記第１ストップリンク５ａの端部とブラケット４に固定された支持軸４ａとの係合部には、第１ストップ装置６が備えられ、第２ストップリンク５ｂの端部とアーム３の他端に固定された支持軸３ａとの係合部には、第２ストップ装置７が備えられている。
【００１６】
図２に示すように、第１ストップ装置６は、第１ストップリンク５ａの一端にスリット５ａ’を形成し、さらにその奥に形成した孔５ａ”の内部に収納されたスチールボール８、ボール受け部材９、このボール受け部材９を介してスチールボール８を常時支持軸４ａの軸心方向に付勢するコイルばね１０、および支持軸４ａに緩挿し、先端部にスチールボール８が係合する凹部１１ａを形成したカム板１１とからなっている。このカム板１１は、下面に当接して設けられたカム押さえ１２を介してボルト１３により支持軸４ａに締め付け固定され、支持軸４ａと一体化している。
【００１７】
さらに、カム板１１の上面には放射線状にセレーション１１ｂが形成され、支持軸４ａに形成したセレーション４ｂと係合している。このカム板１１のセレーション１１ｂと支持軸４ａのセレーション４ｂの係合位置を変えることにより、ドア３０の開放時の停止位置（角度）を変えることができる。
【００１８】
次に、第２ストップ装置７は、第２ストップリンク５ｂの一端にスリット５ｂ’を形成し、さらにその奥に形成した孔５ｂ”の内部に収納されたスチールボール１４、ボール受け部材１５、このボール受け部材１５を介してスチールボール１４を常時支持軸３ａの軸心方向に付勢するコイルばね１６、および支持軸３ａに緩挿し、先端部にスチールボール１４が係合する凹部１７ａを形成したカム板１７とからなっている。このカム板１７は、上面に当接して設けられたカム押さえ１８を介してボルト１９により支持軸３ａに締め付け固定され、支持軸３ａと一体化している。
【００１９】
この第２ストップ装置７においても、カム板１７の下面と支持軸３ａには放射線状にセレーション１７ｂ、３ｂが形成され、互いに係合している。このカム板１７のセレーション１７ｂと支持軸３ａのセレーション３ｂの係合位置を変えることにより、ドア３０の開放時の停止位置（角度）を変えることができる。
【００２０】
図３は、本発明のドアクローザ１の第１、第２ストップ装置６、７を作動させ、ドア３０を所定の角度に開放し、停止させた状態を示す図である。この図に示すようにの第１ストップ装置６では、カム板１１の凹部１１ａとスチールボール８とが係合し、さらに第２ストップ装置７では、カム板１７の凹部１７ａとスチールボール１４とが係合し、ストップ装置のストップ力を向上させている。
【００２１】
このようにストップリンク５の両端に第１、第２ストップ装置６、７を備えることで、自閉力の強いドアクローザ本体２の自閉力よりも強いストップ力をドアクローザ１が持つこととなり、ドアクローザ本体２の自閉力ではストップ装置が解除することがなくなるのはもちろんのこと、風圧によってストップ装置が解除されてしまい、ドアが安易に閉じてしまうことがなくなる。
【符号の説明】
【００２２】
１    ドアクローザ
２    ドアクローザ本体
３    アーム
４    ブラケット
５    ストップリンク
６    第１ストップ装置
７    第２ストップ装置
【図１】
2010196255.tif 000003
【図２】
2010196255.tif 000004
【図３】
2010196255.tif 000005